(57)【特許請求の範囲】
【請求項１】
搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを構成するローラのうち少なくとも一方のローラは、摩擦係数が小さな材質からなり直径の大きな第１のローラ部材と、前記第１のローラ部材の両側に一体的に設けられ、摩擦係数が大きな材質からなり直径が第１のローラ部材よりも小さい第２のローラ部材を組み合わせてなり、用紙の種類に応じて当該用紙に対する押圧力を変更させるように構成したことを特徴とするサイドレジストレーション装置。
【請求項２】
搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを構成するローラのうち少なくとも一方のローラは、同一の材質からなり、直径の大きな第１のローラ部材と、前記第１のローラ部材の両側に一体的に設けられ、直径が第１のローラ部材よりも小さい第２のローラ部材を組み合わせてなり、用紙の種類に応じて当該用紙に対する押圧力を変更させるように構成したことを特徴とするサイドレジストレーション装置。
【請求項３】
搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを複数個配置し、これら複数個の搬送ローラのうち、少なくとも１つの搬送ローラは、当該搬送ローラを構成するローラのうち少なくとも一方のローラが、摩擦係数が小さな材質からなり直径の大きな第１のローラ部材と、前記第１のローラ部材の両側に一体的に設けられ、摩擦係数が大きな材質からなり直径が第１のローラ部材よりも小さい第２のローラ部材を組み合わせてなり、かつ用紙の種類に応じて当該用紙に対するニップを解除可能に構成したことを特徴とするサイドレジストレーション装置。
【請求項４】
搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを少なくとも１つは他と傾き角度を異ならせて複数個配置し、これら複数個の搬送ローラのうち、少なくとも１つの搬送ローラは、当該搬送ローラを構成するローラのうち少なくとも一方のローラが、摩擦係数が小さな材質からなり直径の大きな第１のローラ部材と、前記第１のローラ部材の両側に一体的に設けられ、摩擦係数が大きな材質からなり直径が第１のローラ部材よりも小さい第２のローラ部材を組み合わせてなり、かつ用紙の種類に応じて当該用紙に対するニップを解除可能に構成したことを特徴とするサイドレジストレーション装置。
【発明の詳細な説明】
【０００１】
【発明の属する技術分野】
この発明は、電子写真方式の複写機やプリンター等の画像形成装置に使用され、用紙の側端を揃えるサイドレジストレーション装置に関する。
【０００２】
【従来の技術】
従来、上記電子写真方式の複写機やプリンター等の画像形成装置においては、給紙トレイ等から転写用紙を、感光体ドラム上に形成されたトナー像を転写部に搬送する際や、片面に画像が形成された転写用紙を、再度感光体ドラムの転写部に搬送する際などに、転写用紙の側端を揃えて当該転写用紙上の適正な位置に画像を形成するために、サイドレジストレーション装置が使用される。
【０００３】
かかる用紙の側端を揃えるサイドレジストレーション装置の一つに、用紙搬送路の側部にサイドガイド板を配置し、このサイドガイド板に向けて用紙を斜めに搬送する傾斜配置されたクロストローラを用いる方式がある。
【０００４】
しかし、このクロストローラ方式では、用紙の種類によっては用紙がサイドガイドに強く当たりすぎて、用紙の先端又は側端部に座屈が発生する場合があるとう問題点があった。
そこで、これを回避するため、特開平６−２７８９１４号公報や特開平５−２４６５８４号公報等に開示されているものがある。
【０００５】
上記特開平６−２７８９１４号公報に係るサイドレジストレーション装置は、用紙搬送路の側部に用紙搬送方向に対して平行に設けられたサイドガイド板と、このサイドガイド板に対して傾斜して配置された駆動ローラと、この駆動ローラに対向して配置されるとともにその対向位置から所定の範囲で回動可能なアイドラローラとを有し、前記サイドガイド板に向けて用紙を斜め送りする搬送手段と、前記用紙の先端角部が前記サイドガイド板に当接するまでは、前記アイドラローラを前記対向位置に設定するとともに、前記用紙の先端角部が前記サイドガイド板に当接した後は、前記用紙が前記サイドガイド板に沿って方向転換するに従って前記アイドラローラを回動させる回動手段とを具備するように構成したものである。
【０００６】
また、上記特開平５−２４６５８４号公報に係る紙送り装置は、紙を、画像処理装置中の処理ステーションへまたは処理ステーションからの予め選択された方向に、連続的に輸送する紙送り装置であって、駆動される第１のクロスローラと、自由回転するように取り付けられた第２のクロスローラと、紙を受け取るニップにおいて第１及び第２のクロスローラの係合を強制する力を加えるために前記ローラーに荷重をかける手段と、前記荷重をかける手段によって加えられる力を調節して紙を受け取るニップを通過する紙にかかる法線力を調節する手段とを含むように構成したものである。
【０００７】
【発明が解決しようとする課題】
しかしながら、上記従来技術の場合には、次のような問題点を有している。すなわち、上記特開平６−２７８９１４号公報に係るサイドレジストレーション装置の場合には、サイドガイド板に対して傾斜して配置された駆動ローラ及びアイドラローラ自体が回動する構造になっており、用紙がサイドガイド板に当たった際の反力を、トーションスプリング等からなる回動手段によって吸収するように構成したものであり、この機構の場合には、各用紙のこわさによって異なる反力に対応する必要があるため、トーションスプリング等の設定が困難であるという問題点があった。また、用紙の重量が大きい場合には、サイドガイド板まで用紙が送られず、用紙の側端を揃えることができない場合が生じる虞れがあるという問題点もあった。
【０００８】
また、上記特開平５−２４６５８４号公報に係る紙送り装置の場合には、ソレノイド、線形モータとスプリング等を組み合わせることにより、ローラにかけるニップ圧を調節できるように構成したものである。しかし、この機構の場合には、最近のカラー画像形成装置では、かなり高画質のカラー画像をも形成することが可能となってきており、カラー印刷に一部とって代わりつつある現状において、カラー画像形成装置で印刷分野に用いられるアート／コート紙のように、坪量、厚さ、表面状態が普通紙とかなり異なる用紙を使用し、搬送する必要が生じてきており、このような多種多様な用紙を搬送する場合には、スプリングの弾性変形の範囲内では対応できない可能性があるという問題点があった。
【０００９】
そこで、この発明は、上記従来技術の問題点を解決するためになされたもので、その目的とするところは、用紙表面の摩擦係数、坪量、厚さなどの異なる種類の用紙の場合でも、用紙の側端を揃えることが可能なサイドレジストレーション装置を提供することにある。
【００１０】
【課題を解決するための手段】
すなわち、請求項１に記載された発明は、搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを構成するローラのうち少なくとも一方のローラは、摩擦係数が小さな材質からなり直径の大きな第１のローラ部材と、前記第１のローラ部材の両側に一体的に設けられ、摩擦係数が大きな材質からなり直径が第１のローラ部材よりも小さい第２のローラ部材を組み合わせてなり、用紙の種類に応じて当該用紙に対する押圧力を変更させるように構成したものである。
【００１２】
また、請求項２に記載された発明は、搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを構成するローラのうち少なくとも一方のローラは、同一の材質からなり、直径の大きな第１のローラ部材と、前記第１のローラ部材の両側に一体的に設けられ、直径が第１のローラ部材よりも小さい第２のローラ部材を組み合わせてなり、用紙の種類に応じて当該用紙に対する押圧力を変更させるように構成したものである。
【００１３】
さらに、請求項３に記載された発明は、搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを複数個配置し、これら複数個の搬送ローラのうち、少なくとも１つの搬送ローラは、当該搬送ローラを構成するローラのうち少なくとも一方のローラが、摩擦係数が小さな材質からなり直径の大きな第１のローラ部材と、前記第１のローラ部材の両側に一体的に設けられ、摩擦係数が大きな材質からなり直径が第１のローラ部材よりも小さい第２のローラ部材を組み合わせてなり、かつ用紙の種類に応じて当該用紙に対するニップを解除可能に構成したものである。
【００１４】
又さらに、請求項４に記載された発明は、搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを少なくとも１つは他と傾き角度を異ならせて複数個配置し、これら複数個の搬送ローラのうち、少なくとも１つの搬送ローラは、当該搬送ローラを構成するローラのうち少なくとも一方のローラが、摩擦係数が小さな材質からなり直径の大きな第１のローラ部材と、前記第１のローラ部材の両側に一体的に設けられ、摩擦係数が大きな材質からなり直径が第１のローラ部材よりも小さい第２のローラ部材を組み合わせてなり、かつ用紙の種類に応じて当該用紙に対するニップを解除可能に構成したものである。
【００１５】
【作用】
上記請求項１に記載された発明は、通常は直径の大きいローラ部材が用紙に接触し、用紙を搬送するが、ローラを用紙に押し付ける力を増やすと、直径の大きなローラ部材が変形し、摩擦係数の高い小さなローラ部材なども用紙に接触することにより、用紙を搬送するため、用紙の搬送力を変えることができる。また、ローラ部材の材料のみによって、押し付け力を変更する場合に比べて幅広い搬送力を得ることができる。
【００１６】
また、上記請求項２に記載された発明は、通常は直径の大きいローラ部材が用紙に接触し、用紙を搬送するが、ローラを用紙に押し付ける力を増やすと、直径の大きなローラ部材が変形し、直径の小さなローラ部材も用紙に接触することにより、用紙を搬送するため、用紙の搬送力を変えることができる。
【００１７】
さらに、上記請求項３に記載された発明は、用紙にニップさせる搬送ローラの個数を変えることにより、用紙の種類に応じて用紙の搬送力を変えることができ、ローラの個数の設定によって、幅広い搬送力を得ることができる。
【００１８】
又さらに、上記請求項４に記載された発明は、用紙にニップさせる搬送ローラのうち、ローラの傾き角度の異なるものを選択することにより、用紙をサイドガイド部材の方向へ斜め送りする量を変えることができ、ローラ角度の設定によって、幅広い搬送力を得ることができる。
【００１９】
【発明の実施の形態】
以下にこの発明を図示の実施の形態に基づいて説明する。
【００２０】
図２はこの発明に係るサイドレジストレーション装置を適用可能な画像形成装置の一実施の形態を示すものである。
【００２１】
図２において、１は画像形成装置の本体を示すものであり、この画像形成装置本体１内の上端部には、原稿２の画像を読み取るスキャナーユニット３が配置されているとともに、当該スキャナーユニット３の上部には、第１のプラテンガラス４上に載置された原稿２を押圧する原稿押圧部材としての機能と、第２のプラテンガラス５上に原稿２を一定の速度で搬送する自動原稿送り機能とを兼ね備えた自動原稿送り装置６が、画像形成装置本体１に対して開閉自在に配設されている。
【００２２】
そして、上記スキャナーユニット３によって第２のプラテンガラス５上を一定の速度で移動する原稿２の画像を読み取る際には、図２に示す位置に、スキャナーユニット３を構成する走査光学系７が停止した状態で、原稿２の画像を読み取るようになっている。また、上記スキャナーユニット３によって、第１のプラテンガラス４上に載置された原稿２の画像を読み取る際には、走査光学系７が原稿２の下面に沿って所定の速度で移動し、原稿２の全面を走査することによって、原稿２の画像を読み取るようになっている。
【００２３】
その後、上記第２のプラテンガラス５上の読み取り位置で読み取られた原稿２は、複数の搬送ロールによって原稿セットトレイ８の下部に設けられた原稿排出トレイ９上に排出される。
【００２４】
また、上記自動原稿送り装置４で原稿２の両面複写を行う場合には、片面の画像が読み取られた原稿２を、搬送ロールによって原稿排出トレイ９上にそのまま排出せずに、搬送路切り換え部材によって搬送路を切り換えることにより、片面の画像が読み取られた原稿２を搬送ロールによって原稿排出トレイ９下部の原稿一時収容部に一旦収容した後、原稿２を表裏反転した状態で再度搬送し、原稿２の裏面側が第２のプラテンガラス５上の読み取り位置へと搬送され、走査光学系７を介して画像読み取り素子１０によって読み取られる。その後、上記表裏表面の画像が読み取られた原稿２は、搬送ロールによって表裏反転した状態でＵターンパスを介して排出トレイ９上に、原稿２の表面を下にした状態で排出される。
【００２５】
上記画像形成装置本体１の上端部には、上述したように、原稿２を固定した状態で載置することにより、当該原稿２の画像を読み取るための面積の大きな第１のプラテンガラス４と、原稿２を一定の速度で自動的に搬送しながら当該原稿２の画像を読み取るための面積の小さな第２のプラテンガラス５とが配置されている。また、上記画像形成装置本体１の上方には、上述したように、原稿押圧部材としての機能を兼ね備えた自動原稿送り装置６が、開閉自在に配設されており、当該自動原稿送り装置６には、第１のプラテンガラス４の上部に対応した位置に、原稿２を押圧する弾性部材からなる原稿押圧部材１１が設けられている。
【００２６】
上記画像形成装置では、図１に示すように、上記の如く構成されたスキャナーユニット３及び自動原稿送り装置６によって原稿２の画像情報が読み取られる。このスキャナーユニット３によって読み取られた原稿２の画像情報は、図示しない一時記憶装置に記憶され、必要に応じて所定の画像処理が施された後、この画像処理が施された画像情報に応じてＲＯＳ１２（Ｒａｓｔｅｒ  Ｏｕｔｐｕｔ  Ｓｃａｎｎｅｒ）によって感光体ドラム１３上に画像露光が施され、静電潜像が形成される。この感光体ドラム１３上に形成された静電潜像は、現像装置１４により現像されてトナー像となった後、このトナー像は、転写帯電器１５によって複写用紙１６上に転写される。この複写用紙１６は、画像形成装置本体１内の下部に収容された複数の用紙トレイ１７、１８、１９、２０から、所定のサイズの用紙が給紙されるとともに、フィードセンサー２１、２２、２３、２４によって検知された後、複数配置された搬送ロール２５によって感光体ドラム１３手前のレジストロール２６まで一旦搬送され、このレジストロール２６によって感光体ドラム１３上に形成されたトナー像と同期して、当該感光体ドラム１３の表面へと搬送されるようになっている。
【００２７】
上記感光体ドラム１３からトナー像が転写された複写用紙１６は、分離帯電器２７によって感光体ドラム１３から分離された後、搬送ベルト２８によって定着装置２９へと搬送され、当該定着装置２９で熱及び圧力によってトナー像が複写用紙１６上に定着されて、装置の外部に配置された排出トレイ３０上に排出され、画像の複写工程を終了する。
【００２８】
なお、トナー像の転写工程が終了した感光体ドラム１３の表面は、クリーニング装置３１によって残留トナーや紙粉等が除去されて、次の複写工程に備えるようになっている。
【００２９】
また、上記画像形成装置で両面複写を行う場合には、片面に画像が複写された複写用紙１６をそのまま排出トレイ３０に排出せずに、搬送経路を切り換えて用紙反転経路３２へと一旦搬送して、複写用紙１６の表裏を反転した状態で搬送路３３を介して、感光体ドラム１３下部の画像形成部へと再度搬送することにより、複写用紙１６の裏面に画像を複写した後に、当該複写用紙１６を排出トレイ３０上に排出するようになっている。
【００３０】
このように構成される画像形成装置では、特に、両面複写を行う場合などに、複写用紙１６の表裏を反転した状態で搬送路３３を介して、感光体ドラム１３下方へ再度搬送すると、複写用紙１６の搬送方向と直交する方向の位置が適正な位置からずれたり、複写用紙１６が傾いたりする場合がある。
【００３１】
そこで、上記画像形成装置では、必要に応じて、搬送路３３等に用紙の側端を揃えるサイドレジストレーション装置が使用される。
【００３２】
ところで、この実施の形態に係るサイドレジストレーション装置は、搬送路の側部に搬送方向と平行に取り付けられたサイドガイド部材と、モータにより駆動されるドライブローラと用紙をサイドガイド部材側へ送る方向に傾けて取り付けられているクロストローラとからなる搬送ローラを備え、この搬送ローラによって用紙をサイドガイド部材の方向へ斜め送りし、用紙の側端を揃えるサイドレジストレーション装置において、上記搬送ローラを構成するローラのうち少なくとも一方のローラは、直径及び材質の異なる複数のローラ部材を組み合わせてなり、用紙の種類に応じて当該用紙に対する押圧力を変更させるように構成されている。
【００３３】
すなわち、この実施の形態１に係るサイドレジストレーション装置４０は、図３に示すように、搬送路の側部に搬送方向と平行に取り付けられたサイドガイド部材４１と、このサイドガイド部材４１の方向へ用紙４２を斜め送りするための搬送ローラ４３とからなる。上記搬送ローラ４３は、図示しないモータにより駆動されるドライブローラ４４と、用紙４２をサイドガイド部材４１側へ送る方向に傾けて取り付けられているクロストローラ４５とから構成されている。
【００３４】
また、上記搬送ローラ４３のドライブローラ４４は、図１に示すように、摩擦係数の小さな材質からなる第１のローラ部材４６と、この第１のローラ部材４６の両側に一体的に設けられた、摩擦係数の大きな材質からなる第２のローラ部材４７とを、組み合わせたものから構成されている。さらに、上記ドライブローラ４３を構成する第１及び第２のローラ部材４６、４７のうち、第１のローラ部材４６は、第２のローラ部材４７に比べて直径が大きく設定されている。しかも、上記第１のローラ部材４６を構成する材料の弾性係数は、第２のローラ部材４７を構成する材料の弾性係数よりも小さく設定されており、第１のローラ部材４６の方が第２のローラ部材４７よりも外力に対して、変形し易いようになっている。
【００３５】
なお、第１のローラ部材４６を形成する材料としては、例えば、シリコンゴムやＥＰＤＭ等の種々のゴム材料を使用することができるが、これに限定されるものではなく、弾性変形可能な合成樹脂やそれ以外の材料でも適宜使用することが可能である。また、第２のローラ部材４７を形成する材料としては、例えば、同じく弾性係数等を異ならせたシリコンゴムやＥＰＤＭ等の種々のゴム材料や、ポリアセタール等の合成樹脂あるいはステンレスやアルミ等の金属材料をも使用することができるが、それ以外の材料でも適宜使用することが可能であることは勿論である。
【００３６】
また、上記第１のローラ部材４６及び第２のローラ部材４７は、材質を異ならせる以外にも、当該ローラ部材４６、４７の表面にサンドブラスト等の表面処理を施したり、コーテイング処理あるいは、シリカ等の充填材を充填することにより、ローラ部材の摩擦係数や表面粗さを異ならせるようにしても良い。
【００３７】
さらに、上記ドライブローラ４３に対しては、図３に示すように、クロストロール４５が通常は一定のニップ圧で押し付けられている。このクロストローラ４５は、図４に示すように、ソレノイド４８や偏心カム４９等の押し付け力変更手段により、板バネ５０やコイルバネ５１等を介して、ニップ圧が２段階（あるいは必要に応じて３段階以上）に変えることができるようになっている。そして、画像形成装置を使用するユーザーによって、操作パネル等から用紙４２の坪量など用紙４２の特性を示すパラメータが入力できるようになっており、当該画像形成装置の動作を制御するＣＰＵ等によって、この用紙４２の特性を示すパラメータの入力内容に応じて、ソレノイド４８や偏心カム４９等からなる押し付け力変更手段により、ニップ圧を切り替えることができるようになっている。
【００３８】
以上の構成において、この実施の形態１に係るサイドレジストレーション装置では、次のようにして、用紙表面の摩擦係数、坪量、厚さなどの異なる種類の用紙の場合でも、用紙の側端を揃えることが可能となっている。
【００３９】
すなわち、上記実施の形態１に係るサイドレジストレーション装置では、用紙４２表面の摩擦係数、坪量、厚さなどに応じて、次のようにして、用紙４２の側端を揃えるようになっている。
【００４０】
（１）用紙の坪量が一定値より小さい場合
上記サイドレジストレーション装置では、この場合、図５に示すように、ニップ圧が小さい設定に切り替える。この際、ドライブローラ４４は、直径の大きな第１のローラ部材４６のみが用紙４２に接触している。上記ドライブローラ４４の直径の大きな第１のローラ部材４２は、摩擦係数の小さな材質からなるため、搬送力は図７に示すように弱く、用紙４２をサイドガイド部材４１へ必要以上に押し付けることがないため、用紙４２が座屈することがない。
【００４１】
（２）用紙の坪量が一定値より大きい場合
上記サイドレジストレーション装置では、この場合、第１のローラ部材４６のみでは搬送力が不足するため、坪量の大きな用紙４２はサイドガイド部材４１まで搬送することができない場合が生じるので、図６に示すようにニップ圧を大きな設定に切り替える。この際、上記ドライブローラ４４は、第１のローラ部材４６が変形し、押しつぶされるため、第２のローラ部材４７も第１のローラ部材４６と共に用紙４２に接触するようになる。この新たに用紙４２に接触する第２のローラ部材４７は、摩擦係数の大きな材質からなるため、第１のローラ部材４６のみの場合に比べて搬送力が図７に示すように増し、用紙４２をサイドガイド部材４１まで確実に搬送することが可能となる。
【００４２】
このように、上記実施の形態１では、押し付け力の変更による搬送力の変化とともに、用紙４２に接触するローラ４４の摩擦係数等も変更可能なため、幅広い搬送力を設定することが可能となり、性質の異なる用紙４２に対して適切なサイドレジストレーション補正が行える。
【００４３】
ここで、上記ドライブローラ４４の構成は、この他にも、参考例として、図８に示すように、第２のローラ部材４７の両側に２つの第１のローラ部材４６を組み合わせた構成や、図９に示すように、第１のローラ部材４６と第２のローラ部材４７とを１つずつ組み合わせた構成をとっても良い。
【００４４】
また、上記ドライブローラ４４を構成する材質は、２種類に限らず、３種類以上からなるものでも勿論よい。この場合には、１つのローラ部材を複数の材質から構成しても、１つのドライブローラを第１、第２、第３等の３種類以上からなるローラ部材によって構成しても良い。
【００４５】
さらに、ユーザーによって入力する項目は、用紙の種類や厚さなどでもよい。また、用紙の厚さを入力項目とする場合は、ユーザーにより入力する代わりにセンサによって用紙厚さを自動的に検知しても良い。
【００４６】
実施の形態２
図１０はこの発明の実施の形態２を示すものであり、前記実施の形態と同一の部分には同一の符号を付して説明すれば、この実施の形態２では、搬送ローラを複数個配置し、これら複数個の搬送ローラのうち、少なくとも１つの搬送ローラは、用紙の種類に応じて当該用紙に対するニップを解除可能に構成されている。
【００４７】
すなわち、この実施の形態２に係るサイドレジストレーション装置は、図１０に示すように、異なる位置に２個の搬送ローラ５１、５２が配置されている。また、片方の搬送ローラ５１は、図示しないソレノイドによりニップを解除することができるようになっている。
【００４８】
また、この実施の形態２でも、ユーザーにより用紙４２の坪量が入力できるようになっている。そして、この入力内容により、ニップさせる搬送ローラを選択する。
【００４９】
以上の構成において、この実施の形態２に係るサイドレジストレーション装置では、次のようにして、用紙表面の摩擦係数、坪量、厚さなどの異なる種類の用紙の場合でも、用紙の側端を揃えることが可能となっている。
【００５０】
すなわち、上記実施の形態２に係るサイドレジストレーション装置では、用紙表面の摩擦係数、坪量、厚さなどに応じて、次のようにして、用紙の側端を揃えるようになっている。
【００５１】
（１）用紙の坪量が一定値より小さい場合
上記サイドレジストレーション装置では、搬送力が大きいと、用紙４２をサイドガイド部材４１へ必要以上に押し付け、用紙４２を座屈させてしまうので、図１１に示すように、搬送ローラ５２を１個のみニップさせ、搬送力を減らす。
【００５２】
（２）用紙の坪量が一定値より大きい場合
上記サイドレジストレーション装置では、１つの搬送ローラ５２のみでは搬送力が不足するため、坪量の大きな用紙４２はサイドガイド部材４１まで搬送することができない場合が生じるので、図１２に示すように搬送ローラ５１、５２を２個ともニップさせ、搬送力を増加させる。
【００５３】
この実施の形態２では、ニップさせるローラの個数の設定により、幅広い搬送力を設定することが可能となり、性質の異なる用紙に対して適切なサイドレジストレーション補正が行える。
【００５４】
なお、ニップさせる搬送ローラの数は、複数個からなっても良い。
【００５５】
また、ニップを解除するために、ソレノイドの代わりに偏心カムなどを用いても良い。
【００５６】
さらに、ユーザーによって入力する項目は、用紙の種類や厚さなどでもよい。また、用紙の厚さを入力項目とする場合は、ユーザーにより入力する代わりにセンサによって用紙厚さを自動的に検知しても良い。
【００５７】
その他の構成及び作用は、前記実施の形態１と同様であるので、その説明を省略する。
【００５８】
実施の形態３
図１３はこの発明の実施の形態３を示すものであり、前記実施の形態と同一の部分には同一の符号を付して説明すれば、この実施の形態３では、搬送ローラを少なくとも１つは他と傾き角度を異ならせて複数個配置し、これら複数個の搬送ローラのうち、少なくとも１つの搬送ローラは、用紙の種類に応じて当該用紙に対するニップを解除可能に構成されている。
【００５９】
すなわち、この実施の形態３に係るサイドレジストレーション装置は、図１３に示すように、異なる位置に２個の搬送ローラ６１、６２が配置されている。また、各クロストローラ４５は、取り付けられている角度が異なり、片方のローラ６２は、よりサイドガイド部材４１側に傾いて配置されている。
【００６０】
また、この実施の形態２でも、ユーザーにより用紙の坪量が入力できるようになっている。そして、この入力内容により、ニップさせる搬送ローラを選択する。
【００６１】
以上の構成において、この実施の形態３に係るサイドレジストレーション装置では、次のようにして、用紙表面の摩擦係数、坪量、厚さなどの異なる種類の用紙の場合でも、用紙の側端を揃えることが可能となっている。
【００６２】
すなわち、上記実施の形態３に係るサイドレジストレーション装置では、用紙表面の摩擦係数、坪量、厚さなどに応じて、次のようにして、用紙の側端を揃えるようになっている。
【００６３】
（１）用紙の坪量が一定値より小さい場合
上記サイドレジストレーション装置では、搬送力が大きいと、用紙４２をサイドガイド部材４１へ必要以上に押し付け、用紙４２を座屈させてしまうので、図１４に示すように、クロストローラ４５の傾きが小さい搬送ローラ６１のみをニップさせ、搬送力を減らす。この場合、用紙４２を横方向へ移動させる搬送力の成分が小さいので、用紙４２をサイドガイド部材４１へ必要以上に押し付けて、用紙を座屈させてしまうことがない。
【００６４】
（２）用紙の坪量が一定値より大きい場合
上記サイドレジストレー４ョン装置では、搬送ローラ６１では搬送力が不足するため、坪量の大きな用紙６２はサイドガイド部材４１まで搬送することができない場合が生じるので、図１５に示すように、クロストローラ４５の傾きが大きい搬送ローラ６２のみをニップさせる。この場合、用紙４２を横方向へ移動させる搬送力の成分が大きいので、用紙４２を確実にサイドガイド部材４１まで送ることができる。
【００６５】
このように、上記実施の形態３では、クロストローラ４５の取り付け角度の設定、また、取り付け角度の異なる複数のローラ６１、６２の設定により、幅広い搬送力を設定することが可能となり、性質の異なる用紙に対して適切なサイドレジストレーション補正が行える。
【００６６】
なお、ニップさせる搬送ローラの数、及びローラの取り付け角度は複数個からなっても良い。
【００６７】
さらに、ユーザーによって入力する項目は、用紙の種類や厚さなどでもよい。また、用紙の厚さを入力項目とする場合は、ユーザーにより入力する代わりにセンサによって用紙厚さを自動的に検知しても良い。
【００６８】
その他の構成及び作用は、前記実施の形態１と同様であるので、その説明を省略する。
【００６９】
実施の形態４
図１６はこの発明の実施の形態４を示すものであり、前記実施の形態と同一の部分には同一の符号を付して説明すれば、この実施の形態４では、搬送ローラを構成するローラのうち少なくとも一方のローラは、同一の材質からなり且つ直径の異なる複数のローラ部を組み合わせてなり、用紙の種類に応じて当該用紙に対する押圧力を変更させるように構成されている。
【００７０】
すなわち、この実施の形態４に係るサイドレジストレーション装置は、図１６に示すように、搬送路の側部に搬送方向と平行に取り付けられたサイドガイド部材４１と、このサイドガイド部材４１の方向へ用紙を斜め送りするための搬送ローラ７０とからなる。上記搬送ローラ７０は、図示しないモータにより駆動されるドライブローラ４４と、用紙４２をサイドガイド部材４１側へ送る方向に傾けて取り付けられているクロストローラ４５とから構成されている。
【００７１】
また、上記搬送ローラ７０のドライブローラ４４は、図１６に示すように、直径の大きな第１のローラ部材７１と、この第１のローラ部材７１の両側に一体的に設けられた、直径の小さな第２のローラ部材７２とを、組み合わせたものから構成されているが、これらの第１及び第２のローラ部材７１、７２は、同じ材質で形成されている。
【００７２】
その他の構成及び作用は、前記実施の形態１と同様であるので、その説明を省略する。
【００７３】
【発明の効果】
この発明の請求項１に記載された発明は、以上の構成及び作用よりなるもので、通常は直径の大きいローラが用紙に接触し用紙を搬送するが、ローラを押さえ付ける力を増やすと、直径の大きなローラが変形し、摩擦係数等の高い小さなローラも用紙に接触して、用紙を搬送するため、用紙の搬送力を変えられる。また、ローラの材料によって、押し付け力のみを変更する場合と比べて幅広い搬送力を得ることができる。
【００７４】
また、請求項２に記載された発明は、以上の構成及び作用よりなるもので、通常は直径の大きいローラが用紙に接触し用紙を搬送するが、ローラを押さえ付ける力を増やすと、直径の大きなローラが変形し、直径の小さなローラも用紙に接触して、用紙を搬送するため、用紙の搬送力を変えられる。
【００７５】
さらに、請求項３に記載された発明は、以上の構成及び作用よりなるもので、ニップさせるローラの個数を変えることにより、用紙の搬送力を変えることができ、ローラの個数の設定により、幅広い搬送力を得ることができる。
【００７６】
又さらに、請求項４に記載された発明は、以上の構成及び作用よりなるもので、ニップさせるローラを選択することにより、用紙をサイドガイド部材の方向へ斜め送りする量を変えることができる。そのため、ローラの角度の設定によって、幅広い搬送力を得ることができる。
【図面の簡単な説明】
【図１】  図１はこの発明に係るサイドレジストレーション装置の実施の形態１を示す要部構成図である。
【図２】  図２はこの発明に係るサイドレジストレーション装置を適用可能な画像形成装置の実施の形態を示す構成図である。
【図３】  図３はこの発明に係るサイドレジストレーション装置の実施の形態１を示す要部構成図である。
【図４】  図４はこの発明の一実施の形態に係るサイドレジストレーション装置の駆動機構を示す構成図である。
【図５】  図５はこの発明の一実施の形態に係るサイドレジストレーション装置の動作を示す構成図である。
【図６】  図６はこの発明の一実施の形態に係るサイドレジストレーション装置の動作を示す構成図である。
【図７】  図７はこの発明の一実施の形態に係るサイドレジストレーション装置の押しつけ力と搬送力との関係を示すグラフである。
【図８】  図８はこの発明の一実施の形態に係るサイドレジストレーション装置の参考例を示す構成図である。
【図９】  図９はこの発明の一実施の形態に係るサイドレジストレーション装置の参考例を示す構成図である。
【図１０】  図１０はこの発明に係るサイドレジストレーション装置の実施の形態２を示す構成図である。
【図１１】  図１１はこの発明の実施の形態２に係るサイドレジストレーション装置の動作を示す構成図である。
【図１２】  図１２はこの発明の実施の形態２に係るサイドレジストレーション装置の動作を示す構成図である。
【図１３】  図１３はこの発明に係るサイドレジストレーション装置の実施の形態３を示す構成図である。
【図１４】  図１４はこの発明の実施の形態２に係るサイドレジストレーション装置の動作を示す構成図である。
【図１５】  図１５はこの発明の実施の形態２に係るサイドレジストレーション装置の動作を示す構成図である。
【図１６】  図１６はこの発明に係るサイドレジストレーション装置の実施の形態４を示す構成図である。
【図１７】  図１７はこの発明の実施の形態２に係るサイドレジストレーション装置の要部構成図である。
【符号の説明】
４０  サイドレジストレーション装置、４１  サイドガイド部材、４２  用紙、４３  搬送ローラ、４４  ドライブローラ、４５  クロストローラ、４６  第１のローラ部材、４７  第２のローラ部材。
【図１】
0003674197.tif 000002
【図２】
0003674197.tif 000003
【図３】
0003674197.tif 000004
【図４】
0003674197.tif 000005
【図５】
0003674197.tif 000006
【図６】
0003674197.tif 000007
【図７】
0003674197.tif 000008
【図８】
0003674197.tif 000009
【図９】
0003674197.tif 000010
【図１０】
0003674197.tif 000011
【図１１】
0003674197.tif 000012
【図１２】
0003674197.tif 000013
【図１３】
0003674197.tif 000014
【図１４】
0003674197.tif 000015
【図１５】
0003674197.tif 000016
【図１６】
0003674197.tif 000017
【図１７】
0003674197.tif 000018